(57)【特許請求の範囲】
【請求項１】
端末がホーム機器の目標スマートシーンを取得するステップと、
前記端末は前記目標スマートシーンから、トリガ時刻を取得するステップと、
前記端末は前記トリガ時刻に基づいてアラーム時刻を設定するステップと、を含み、
前記目標スマートシーンは、前記トリガ時刻に達したときに目標操作を実行するよう指示するために用いられ、
前記トリガ時刻に基づいてアラーム時刻を設定するステップは、
複数の履歴時刻を取得するステップと、
前記複数の履歴時刻に基づいて前記アラーム時刻を特定するステップと、を含み、
前記履歴時刻は、アラーム履歴時刻、または、スマートウェアラブル機器で検出された起床履歴時刻を含むことを特徴とするアラーム設定方法。
【請求項２】
前記トリガ時刻に基づいてアラーム時刻を設定するステップは、
前記端末が前記アラーム時刻の設定属性を取得するステップと、
前記端末が、前記設定属性および前記トリガ時刻に基づいて、所定のインターフェースにより、前記アラーム時刻を設定するステップと、を含み、
前記設定属性は、前記設定されるアラーム時刻と前記トリガ時刻との時系列関係を示すことを特徴とする請求項１に記載のアラーム設定方法。
【請求項３】
前記設定属性および前記トリガ時刻に基づいて、前記所定のインターフェースにより、前記アラーム時刻を設定するステップは、
前記端末が、前記設定属性が第１属性である場合、前記所定のインターフェースにより、前記トリガ時刻よりも前であって、前記トリガ時刻との時間差が第１所定時間である時刻を前記アラーム時刻に設定するステップと、
前記端末が、前記設定属性が第２属性である場合、前記所定のインターフェースにより、前記トリガ時刻よりも後であって、前記トリガ時刻との時間差が第２所定時間である時刻を前記アラーム時刻に設定するステップと、
前記端末が、前記設定属性が第３属性である場合、前記所定のインターフェースにより、前記トリガ時刻を前記アラーム時刻に設定するステップと、を含むことを特徴とする請求項２に記載のアラーム設定方法。
【請求項４】
前記トリガ時刻に基づいてアラーム時刻を設定するステップは、
前記端末が、前記トリガ時刻に基づいて、スマートホームアプリケーションにおいてアラーム設定インターフェースを表示するステップと、
前記端末が、所定のインターフェースにより、前記アラーム設定インターフェースで検出された時刻を前記アラーム時刻に設定するステップと、を含むことを特徴とする請求項１に記載のアラーム設定方法。
【請求項５】
前記複数の履歴時刻に基づいて前記アラーム時刻を特定するステップは、
前記端末が前記複数の履歴時刻に最も近いトリガ時刻を前記アラーム時刻として特定するステップを含むことを特徴とする請求項１に記載のアラーム設定方法。
【請求項６】
前記目標スマートシーンから、前記トリガ時刻を取得した後、
前記方法は、さらに、
前記端末が前記トリガ時刻を指示する時刻オプションを表示するステップを含み、
前記トリガ時刻に基づいてアラーム時刻を設定するステップは、
前記端末が前記時刻オプションに対する選択操作を検出するステップと、
前記端末が、前記選択操作が検出されたことに応答して、前記選択操作によって決められた時刻に基づいて、前記アラーム時刻を設定するステップと、を含むことを特徴とする請求項１に記載のアラーム設定方法。
【請求項７】
前記目標スマートシーンから、前記トリガ時刻を取得した後、
前記方法は、さらに、
前記端末がアラーム設定ヒント情報を表示するステップを含み、
前記トリガ時刻に基づいてアラーム時刻を設定するステップは、
前記端末が前記アラーム設定ヒント情報に対する確認操作を検出するステップと、
前記端末が、前記確認操作が検出されたことに応答して、前記トリガ時刻に基づいて前記アラーム時刻を設定するステップと、を含むことを特徴とする請求項１乃至６の何れか一項に記載のアラーム設定方法。
【請求項８】
ホーム機器の目標スマートシーンを取得するための第１取得モジュールと、
前記第１取得モジュールによって取得された目標スマートシーンからトリガ時刻を取得するための第２取得モジュールと、
前記第２取得モジュールによって取得されたトリガ時刻に基づいてアラーム時刻を設定するための設定モジュールと、を備え、
前記目標スマートシーンは、前記トリガ時刻に達したときに目標操作を実行するよう指示すために用いられ、
前記設定モジュールは、
複数の履歴時刻を取得するための第２取得手段と、
前記第２取得手段によって取得された複数の履歴時刻に基づいて前記アラーム時刻を特定するための特定手段と、を備え、
前記履歴時刻は、アラーム履歴時刻、または、スマートウェアラブル機器で検出された起床履歴時刻を含むことを特徴とするアラーム設定装置。
【請求項９】
前記設定モジュールは、
前記アラーム時刻の設定属性を取得するための第１取得手段と、
前記第１取得手段によって取得された設定属性と、前記トリガ時刻とに基づいて、所定のインターフェースにより、前記アラーム時刻を設定するための第１設定手段と、を備え、
前記設定属性は、前記設定されるアラーム時刻と前記トリガ時刻との時系列関係を示すことを特徴とする請求項８に記載のアラーム設定装置。
【請求項１０】
前記第１設定手段は、
前記設定属性が第１属性である場合、前記所定のインターフェースにより、前記トリガ時刻よりも前であって、前記トリガ時刻との時間差が第１所定時間である時刻を前記アラーム時刻に設定するための第１設定サブ手段と、
前記設定属性が第２属性である場合、前記所定のインターフェースにより、前記トリガ時刻よりも後であって、前記トリガ時刻との時間差が第２所定時間である時刻を前記アラーム時刻に設定するための第２設定サブ手段と、
前記設定属性が第３属性である場合、前記所定のインターフェースにより、前記トリガ時刻を前記アラーム時刻に設定するための第３設定サブ手段と、を備えることを特徴とする請求項９に記載のアラーム設定装置。
【請求項１１】
前記設定モジュールは、
前記トリガ時刻に基づいて、スマートホームアプリケーションにおいてアラーム設定インターフェースを表示するための表示手段と、
所定のインターフェースにより、前記表示手段で表示されたアラーム設定インターフェースにおいて検出した時刻を前記アラーム時刻に設定するための第２設定手段と、を備えることを特徴とする請求項８に記載のアラーム設定装置。
【請求項１２】
前記特定手段は、
前記複数の履歴時刻に最も近いトリガ時刻を前記アラーム時刻として特定するための特定サブ手段を備えることを特徴とする請求項８に記載のアラーム設定装置。
【請求項１３】
トリガ時刻を指示する時刻オプションを表示するための第１表示モジュールをさらに備え、
前記設定モジュールは、
前記時刻オプションに対する選択操作を検出するための第１検出手段と、
選択操作が前記第１検出手段によって検出されたことに応答して、前記選択操作によって決められた時刻に基づいて、前記アラーム時刻を設定するための第３設定手段と、を備えることを特徴とする請求項８に記載のアラーム設定装置。
【請求項１４】
アラーム設定ヒント情報を表示するための第２表示モジュールをさらに備え、
前記設定モジュールは、
前記アラーム設定ヒント情報に対する確認操作を検出するための第２検出手段と、
確認操作が前記第２検出手段によって検出されたことに応答して、前記トリガ時刻に基づいて前記アラーム時刻を設定するための第４設定手段と、を備えることを特徴とする請求項８乃至１３の何れか一項に記載のアラーム設定装置。
【請求項１５】
プロセッサと、
前記プロセッサが実行可能な指令を記憶するためのメモリと、を備え、
前記プロセッサは、
ホーム機器の目標スマートシーンを取得し、
前記目標スマートシーンから、トリガ時刻を取得し、
前記トリガ時刻に基づいてアラーム時刻を設定するように構成され、
前記目標スマートシーンは、前記トリガ時刻に達したときに目標操作を実行するよう指示すために用いられ、
前記プロセッサはさらに、
複数の履歴時刻を取得し、
前記複数の履歴時刻に基づいて前記アラーム時刻を特定し、
前記履歴時刻は、アラーム履歴時刻、または、スマートウェアラブル機器で検出された起床履歴時刻を含むことを特徴とするアラーム設定装置。
【発明の詳細な説明】
【技術分野】
【０００１】
（関連出願の相互参照）
本願は、出願番号が２０１５１０８３６９５７.４であり、出願日が２０１５年１１月２６日である中国特許出願に基づいて優先権を主張する。当該中国特許出願の全ての内容は、ここに参考として引用される。
【０００２】
本発明は、電子技術分野に関し、特にアラーム設定方法およびアラーム設定装置に関する。
【背景技術】
【０００３】
ユーザの生活の質に対する注目度が高まるにつれ、ホーム機器も徐々に普及しつつある。現在、スマートホームアプリケーションにおけるスマートシーンモードにより、ホーム機器のトリガ時刻および制御操作に対して設定を行うことで、対応するスマートシーンを作成することができる。一般的に、ホーム機器のトリガ時刻はユーザによって設定されるアラーム時刻と関連するため、ユーザは、スマートシーンを設定した後、当該スマートシーンに関連するアラーム時刻も設定する。例えば、ユーザによって設定されたスマートシーンが「７:３０にスマートコンセントをオン」であれば、当該スマートコンセントに接続された電気製品が７:３０から稼動し始める。当該スマートコンセントに接続された電気製品が、ユーザの朝食を用意するためのものである場合、ユーザは、タイムリーに起きて朝食を食べるように、アラーム時刻を７:４０頃に設定する。しかしながら、ユーザが当該スマートシーンと関連するアラーム時刻を設定するには、当該スマートシーンに用いられるスマートホームアプリケーションを先に退出し、それからアラームアプリケーションにおいてアラーム時刻を設定する必要があるため、設定手順が煩雑であり、ユーザにとって不便である。そこで、設定手順が簡単なアラーム設定方法の早期実現が望まれる。
【発明の概要】
【０００４】
関連技術の上記問題を克服すべく、本発明は、アラーム設定方法およびアラーム設定装置を提供する。
【課題を解決するための手段】
【０００５】
本発明の実施例の第１態様は、アラーム設定方法を提供する。前記方法は、
ホーム機器の目標スマートシーンを取得するステップと、
前記目標スマートシーンから、トリガ時刻を取得するステップと、
前記トリガ時刻に基づいてアラーム時刻を設定するステップと、を含み、
前記目標スマートシーンは、前記トリガ時刻に達したときに目標操作を実行するよう指示する。
【０００６】
第１態様を結合し、上記第１態様の第１種実現可能形態では、前記トリガ時刻に基づいてアラーム時刻を設定するステップは、
前記アラーム時刻の設定属性を取得するステップと、
前記設定属性および前記トリガ時刻に基づいて、所定のインターフェースにより、前記アラーム時刻を設定するステップとを含み、
前記設定属性は、前記設定されるアラーム時刻と前記トリガ時刻との時系列関係を示す。
【０００７】
第１態様の第１種実現可能形態を結合し、上記第１態様の第２種実現可能形態では、前記設定属性および前記トリガ時刻に基づいて、前記所定のインターフェースにより、前記アラーム時刻を設定するステップは、
前記設定属性が第１属性である場合、前記所定のインターフェースにより、前記トリガ時刻よりも前であって、前記トリガ時刻との時間差が第１所定時間である時刻を前記アラーム時刻に設定するステップと、
前記設定属性が第２属性である場合、前記所定のインターフェースにより、前記トリガ時刻よりも後であって、前記トリガ時刻との時間差が第２所定時間である時刻を前記アラーム時刻に設定するステップと、
前記設定属性が第３属性である場合、前記所定のインターフェースにより、前記トリガ時刻を前記アラーム時刻に設定するステップとを含む。
【０００８】
第１態様を結合し、上記第１態様の第３種実現可能形態では、前記トリガ時刻に基づいてアラーム時刻を設定するステップは、
前記トリガ時刻に基づいて、スマートホームアプリケーションにおいてアラーム設定インターフェースを表示するステップと、
所定のインターフェースにより、前記アラーム設定インターフェースで検出された時刻を前記アラーム時刻に設定するステップとを含む。
【０００９】
第１態様を結合し、上記第１態様の第４種実現可能形態では、複数の履歴時刻を取得するステップと、
前記複数の履歴時刻に基づいて前記アラーム時刻を特定するステップとを含み、
前記履歴時刻は、アラーム履歴時刻、または、スマートウェアラブル機器で検出された起床履歴時刻を含む。
【００１０】
第１態様の第４種実現可能形態を結合し、上記第１態様の第５種実現可能形態では、前記複数の履歴時刻に基づいて前記アラーム時刻を特定するステップは、
前記複数の履歴時刻に最も近いトリガ時刻を前記アラーム時刻として特定するステップを含む。
【００１１】
第１態様を結合し、上記第１態様の第６種実現可能形態では、前記目標スマートシーンから、前記トリガ時刻を取得した後、前記方法は、さらに、
前記トリガ時刻を指示する時刻オプションを表示するステップを含み、
前記トリガ時刻に基づいてアラーム時刻を設定するステップは、
前記時刻オプションに対する選択操作を検出するステップと、
前記選択操作が検出されたことに応答して、前記選択操作によって決められた時刻に基づいて、前記アラーム時刻を設定するステップとを含む。
【００１２】
第１態様乃至第１態様の第６種実現可能形態の何れかの実現可能形態を結合し、上記第１態様の第７種実現可能形態では、前記目標スマートシーンから、前記トリガ時刻を取得した後、前記方法は、さらに、
アラーム設定ヒント情報を表示するステップを含み、
前記トリガ時刻に基づいてアラーム時刻を設定するステップは、
前記アラーム設定ヒント情報に対する確認操作を検出するステップと、
前記確認操作が検出されたことに応答して、前記トリガ時刻に基づいて前記アラーム時刻を設定するステップとを含む。
【００１３】
本発明の実施例の第２態様によれば、アラーム設定装置を提供する。前記装置は、
ホーム機器の目標スマートシーンを取得するための第１取得モジュールと、
前記第１取得モジュールによって取得された目標スマートシーンからトリガ時刻を取得するための第２取得モジュールと、
前記第２取得モジュールによって取得されたトリガ時刻に基づいてアラーム時刻を設定するための設定モジュールと、を備え、
前記目標スマートシーンは、前記トリガ時刻に達したときに目標操作を実行するよう指示する。
【００１４】
第２態様を結合し、上記第２態様の第１種実現可能形態では、前記設定モジュールは、
前記アラーム時刻の設定属性を取得するための第１取得手段と、
前記第１取得手段によって取得された設定属性と、前記トリガ時刻とに基づいて、所定のインターフェースにより、前記アラーム時刻を設定するための第１設定手段とを備え、
前記設定属性は、前記設定されるアラーム時刻と前記トリガ時刻との時系列関係を示す。
【００１５】
第２態様の第１種実現可能形態を結合し、上記第２態様の第２種実現可能形態では、前記第１設定手段は、
前記設定属性が第１属性である場合、前記所定のインターフェースにより、前記トリガ時刻よりも前であって、前記トリガ時刻との時間差が第１所定時間である時刻を前記アラーム時刻に設定するための第１設定サブ手段と、
前記設定属性が第２属性である場合、前記所定のインターフェースにより、前記トリガ時刻よりも後であって、前記トリガ時刻との時間差が第２所定時間である時刻を前記アラーム時刻に設定するための第２設定サブ手段と、
前記設定属性が第３属性である場合、前記所定のインターフェースにより、前記トリガ時刻を前記アラーム時刻に設定するための第３設定サブ手段と、を備える。
【００１６】
第２態様を結合し、上記第２態様の第３種実現可能形態では、前記設定モジュールは、
前記トリガ時刻に基づいて、スマートホームアプリケーションにおいてアラーム設定インターフェースを表示するための表示手段と、
所定のインターフェースにより、前記表示手段で表示されたアラーム設定インターフェースにおいて検出した時刻を前記アラーム時刻に設定するための第２設定手段とを備える。
【００１７】
第２態様を結合し、上記第２態様の第４種実現可能形態では、前記設定モジュールは、
複数の履歴時刻を取得するための第２取得手段と、
前記第２取得手段によって取得された複数の履歴時刻に基づいて、前記アラーム時刻を特定するための特定手段とを備え、
前記履歴時刻は、アラーム履歴時刻、または、スマートウェアラブル機器で検出された起床履歴時刻を含む。
【００１８】
第２態様の第４種実現可能形態を結合し、上記第２態様の第５種実現可能形態では、前記特定手段は、
前記複数の履歴時刻に最も近いトリガ時刻を前記アラーム時刻として特定するための特定サブ手段を備える。
【００１９】
第２態様を結合し、上記第２態様の第６種実現可能形態では、前記装置は、さらに、
トリガ時刻を指示する時刻オプションを表示するための第１表示モジュールを備える。
【００２０】
前記設定モジュールは、
前記時刻オプションに対する選択操作を検出するための第１検出手段と、
選択操作が前記第１検出手段によって検出されたことに応答して、前記選択操作によって決められた時刻に基づいて、前記アラーム時刻を設定するための第３設定手段とを備える。
【００２１】
第２態様乃至第２態様の第６種実現可能形態を結合し、上記第２態様の第７種実現可能形態では、前記装置は、さらに、
アラーム設定ヒント情報を表示するための第２表示モジュールを備え、
前記設定モジュールは、
前記アラーム設定ヒント情報に対する確認操作を検出するための第２検出手段と、
確認操作が前記第２検出手段によって検出されたことに応答して、前記トリガ時刻に基づいて前記アラーム時刻を設定するための第４設定手段とを備える。
【００２２】
本発明の実施例の第３態様によれば、アラーム設定装置を提供する。前記装置は、
プロセッサと、
プロセッサが実行可能な指令を記憶するためのメモリとを備え、
前記プロセッサは、
ホーム機器の目標スマートシーンを取得し、
前記目標スマートシーンから、トリガ時刻を取得し、
前記トリガ時刻に基づいてアラーム時刻を設定するように構成され、
前記目標スマートシーンは、前記トリガ時刻に達したときに目標操作を実行するよう指示する。
【発明の効果】
【００２３】
本発明の実施例による上記解決手段は、以下の効果を奏することができる。
【００２４】
本発明の実施例では、端末がホーム機器の目標スマートシーン（当該目標スマートシーンは、トリガ時刻に達したときに目標操作を実行するよう指示する）を取得した後、端末が当該目標スマートシーンからトリガ時刻を取得し、当該トリガ時刻に基づいてアラーム時刻を設定することにより、端末に対応するユーザは、当該目標スマートシーンを設定した後で、当該目標スマートシーンに用いられるスマートホームアプリケーションを退出することなく、アラーム時刻を設定可能であるため、アラーム設定手順が簡素化され、ユーザによる使用が便利になり、アラームの設定効率が向上する。
【００２５】
以上の一般的な記述および後述する詳細な説明は、例示的や解釈的なものであり、本発明を制限するためのものでないことは、当然である。
【図面の簡単な説明】
【００２６】
ここでの図面は、明細書を構成する一部として見なされ、本発明に適した実施例を示し、かつ、明細書の記載とともに本発明の仕組みを解釈するために用いられる。
【図１】ある実施例によるアラーム設定方法を示すフローチャートである。
【図２】ある実施例による別のアラーム設定方法を示すフローチャートである。
【図３（ａ）】ある実施例によるスマートホームアプリケーションのシーンリストを示す模式図である。
【図３（ｂ）】ある実施例による新規スマートシーンインターフェースを示す模式図である。
【図３（ｃ）】ある実施例によるトリガ条件インターフェースを示す模式図である。
【図３（ｄ）】ある実施例による別の新規スマートシーンインターフェースを示す模式図である。
【図３（ｅ）】ある実施例による制御操作インターフェースを示す模式図である。
【図３（ｆ）】ある実施例によるさらに別の新規スマートシーンインターフェースを示す模式図である。
【図３（ｇ）】ある実施例による別のスマートホームアプリケーションのシーンリストを示す模式図である。
【図４】ある実施例によるアラーム設定ヒント情報を示す模式図である。
【図５】ある実施例によるトリガ時刻を指示する時刻オプションを示す模式図である。
【図６】ある実施例によるアラーム設定インターフェースを示す模式図である。
【図７】ある実施例による第１種のアラーム設定装置を示すブロック図である。
【図８】ある実施例による第１種の設定モジュールを示すブロック図である。
【図９】ある実施例による第１設定手段を示すブロック図である。
【図１０】ある実施例による第２種の設定モジュールを示すブロック図である。
【図１１】ある実施例による第３種の設定モジュールを示すブロック図である。
【図１２】ある実施例のブロック図を示し、（ａ）はある実施例による第２種のアラーム設定装置を、（ｂ）はある実施例による第４種の設定モジュールを、それぞれ示す。
【図１３】ある実施例のブロック図を示し、（ａ）はある実施例による第３種のアラーム設定装置を、（ｂ）はある実施例による第５種の設定モジュールを、それぞれ示す。
【図１４】ある実施例による第４種のアラーム設定装置を示すブロック図である。
【発明を実施するための形態】
【００２７】
以下、図面を参照しながら、実施例について詳細に説明する。なお、本明細書中で特に説明のない限り、異なる図面における同じ符号は、同じまたは類似する要素を示す。以下の実施例に記述される実施形態は、本発明と一致する全ての実施形態を代表するものではない。逆に、それらは、添付の特許請求の範囲に記載されているように、本発明の一部の態様と一致する装置および方法の例に過ぎない。
【００２８】
図１は、ある実施例によるアラーム設定方法を示すフローチャートである。図１に示すように、当該方法は、端末に用いられ、以下のステップを含む。
【００２９】
ステップ１０１では、ホーム機器の目標スマートシーンを取得し、当該目標スマートシーンは、トリガ時刻に達したときに目標操作を実行するよう指示する。
【００３０】
ステップ１０２では、当該目標スマートシーンからトリガ時刻を取得する。
【００３１】
ステップ１０３では、当該トリガ時刻に基づいてアラーム時刻を設定する。
【００３２】
本発明の実施例では、端末がホーム機器の目標スマートシーン（当該目標スマートシーンは、トリガ時刻に達したときに目標操作を実行するよう指示する）を取得した後、端末が当該目標スマートシーンからトリガ時刻を取得し、当該トリガ時刻に基づいてアラーム時刻を設定することにより、端末に対応するユーザは、当該目標スマートシーンを設定した後で、当該目標スマートシーンに用いられるスマートホームアプリケーションを退出することなく、アラーム時刻を設定可能であるため、アラーム設定手順が簡素化され、ユーザによる使用が便利になり、アラームの設定効率が向上する。
【００３３】
本発明の別の実施例では、トリガ時刻に基づいてアラーム時刻を設定するステップは、
アラーム時刻の設定属性を取得するステップと、
設定属性およびトリガ時刻に基づいて、所定のインターフェースにより、アラーム時刻を設定するステップとを含み、設定属性は、設定されるアラーム時刻とトリガ時刻との時系列関係を示す。
【００３４】
本発明の別の実施例では、設定属性およびトリガ時刻に基づいて、所定のインターフェースにより、アラーム時刻を設定するステップは、
設定属性が第１属性である場合、所定のインターフェースにより、トリガ時刻よりも前であって、トリガ時刻との時間差が第１所定時間である時刻をアラーム時刻に設定するステップと、
設定属性が第２属性である場合、所定のインターフェースにより、トリガ時刻よりも後であって、トリガ時刻との時間差が第２所定時間である時刻をアラーム時刻に設定するステップと、
設定属性が第３属性である場合、所定のインターフェースにより、トリガ時刻をアラーム時刻に設定するステップとを含む。
【００３５】
本発明の別の実施例では、トリガ時刻に基づいてアラーム時刻を設定するステップは、
トリガ時刻に基づいて、スマートホームアプリケーションにおいてアラーム設定インターフェースを表示するステップと、
所定のインターフェースにより、アラーム設定インターフェースで検出された時刻をアラーム時刻に設定するステップとを含む。
【００３６】
本発明の別の実施例では、トリガ時刻に基づいてアラーム時刻を設定するステップは、
複数の履歴時刻を取得するステップと、
複数の履歴時刻に基づいてアラーム時刻を特定するステップとを含み、
履歴時刻は、アラーム履歴時刻、または、スマートウェアラブル機器で検出された起床履歴時刻を含む。
【００３７】
本発明の別の実施例では、複数の履歴時刻に基づいてアラーム時刻を特定するステップは、
複数の履歴時刻に最も近いトリガ時刻をアラーム時刻として特定するステップを含む。
【００３８】
本発明の別の実施例では、目標スマートシーンからトリガ時刻を取得した後、当該方法は、さらに、
トリガ時刻を指示する時刻オプションを表示するステップを含み、
トリガ時刻に基づいてアラーム時刻を設定するステップは、
時刻オプションに対する選択操作を検出するステップと、
選択操作が検出されたことに応答して、選択操作によって決められたトリガ時刻に基づいてアラーム時刻を設定するステップとを含む。
【００３９】
本発明の別の実施例では、目標スマートシーンからトリガ時刻を取得した後、当該方法は、さらに、
アラーム設定ヒント情報を表示するステップを含み、
トリガ時刻に基づいてアラーム時刻を設定するステップは、
アラーム設定ヒント情報に対する確認操作を検出するステップと、
確認操作が検出されたことに応答して、トリガ時刻に基づいてアラーム時刻を設定するステップとを含む。
【００４０】
上記あらゆる好適な技術案を任意に組み合わせて本発明の好適な実施例を形成してもよい。本発明の実施例は、それについて繰返し説明しない。
【００４１】
図２は、ある実施例によるアラーム設定方法を示すフローチャートである。図２に示すように、当該方法は、以下のステップを含む。
【００４２】
ステップ２０１では、端末がホーム機器の目標スマートシーンを取得し、当該目標スマートシーンは、トリガ時刻に達したときに目標操作を実行するよう指示する。
【００４３】
例えば、トリガ時刻が「７:３０」であり、目標操作が「スマートコンセント２２０Ｖ  オン」である場合、当該目標スマートシーンは、「７:３０にスマートコンセントをオン」になる。
【００４４】
さらに、端末がホーム機器の目標スマートシーンを取得する前に、端末は、スマートホームアプリケーションに基づいて目標機器関連指令を受信することができる。当該目標機器関連指令には、トリガ時刻および目標操作が付加されており、端末は、当該トリガ時刻および当該目標操作に基づいて、対応する目標スマートシーンを作成することができる。
【００４５】
なお、スマートホームアプリケーションは、目標スマートシーンに用いられるアプリケーションであり、ホーム機器を制御するために端末にインストールされた第三者アプリケーションである。
【００４６】
また、当該目標機器関連指令は、目標スマートシーンを作成するために用いられる。当該目標機器関連指令は、ユーザの所定の操作によってトリガすることができる。当該所定の操作はシングルクリック操作、ダブルクリック操作、音声操作等であってもよいが、本発明の実施例は、それについて特に限定しない。
【００４７】
実際のアプリケーションでは、当該目標スマートシーンが「７:３０にスマートコンセントをオン」である場合、端末が当該目標スマートシーンを作成する手順は、下記のようになってもよい。図３（ａ）に示すように、端末に対応するユーザがスマートホームアプリケーションのシーンリストにおいて「シーンを作成」をクリックすると、当該端末は、図３（ｂ）に示す新規スマートシーンインターフェースを表示する。それから、ユーザが「ステップ１：トリガ条件を設定」をクリックすると、当該端末は、図３（ｃ）に示すトリガ条件インターフェースを表示する。ユーザは、「トリガ時刻を設定」をクリックしてトリガ時刻を７:３０に設定した後、図３（ｄ）に示す新規スマートシーンインターフェースに戻る。また、「ステップ２：制御操作を追加」をクリックして図３（ｅ）に示す制御操作インターフェースに入ってから、ユーザは、スマートコンセントリスト中の「２２０Ｖ  オン」をクリックした後、図３（ｆ）に示す新規スマートシーンインターフェースに戻る。その後、ユーザは、「シーンを保存」をクリックして、図３（ｇ）に示すスマートホームアプリケーションのシーンリストに戻し、目標スマートシーンに対する設定を完了する。設定の結果は、「７:３０にスマートコンセントをオン」となる。
【００４８】
なお、端末が目標機器関連指令に付加されたトリガ時刻および目標操作に基づいて対応する目標スマートシーンを作成する方法については、関連技術を参照すればよいため、本発明の実施例にあってはそれについて詳細に説明しない。
【００４９】
さらに、本発明の実施例では、当該端末がホーム機器の目標スマートシーンを取得する際、当該端末は、既に作成されたスマートシーンから目標スマートシーンを選択できるだけではなく、無論、当該端末は、スマートシーンを作成する度に、作成したスマートシーンを目標スマートシーンとして特定してもよい。本発明の実施例は、それについて特に限定しない。
【００５０】
当該端末が、既に作成されたスマートシーンから目標スマートシーンを選択する場合、既に作成されたスマートシーンに対する選択指令を検出して、当該選択指令によって指示されたスマートシーンを目標スマートシーンとして特定してもよい。それだけではなく、無論、当該端末は、既に作成されたスマートシーンから、１つのスマートシーンをランダムに選択し、または、ある選択ポリシーに従って１つのスマートシーンを選択して、選択したスマートシーンを目標スマートシーンとして特定してもよい。本発明の実施例は、同様に、それについて特に限定しない。
【００５１】
なお、当該選択指令が既に作成されたスマートシーンから目標スマートシーンを選択するために用いられ、当該選択指令がユーザによってトリガされてもよく、当該ユーザが所定の操作によりトリガしてもよい。本発明の実施例は、それについて特に限定しない。
【００５２】
ステップ２０２では、端末が当該目標スマートシーンからトリガ時刻を取得する。
【００５３】
例えば、当該目標スマートシーンが「７:３０にスマートコンセントをオン」である場合、端末は、当該目標スマートシーンからトリガ時刻「７:３０」を取得できる。
【００５４】
アラーム時刻は、一般的に目標スマートシーンにおけるトリガ時刻と関連するので、当該目標スマートシーンに関連するアラーム時刻を設定するために、端末は、当該目標スマートシーンにおけるトリガ時刻を取得して、当該トリガ時刻に基づいてアラーム時刻を設定できる。
【００５５】
さらに、端末は、当該目標スマートシーンからトリガ時刻を取得した後、アラーム設定ヒント情報を表示し、アラーム設定情報に対する確認操作を検出し、当該確認操作の検出に応答して、当該トリガ時刻に基づいてアラーム時刻を設定してもよい。
【００５６】
なお、当該アラーム設定ヒント情報は、ユーザがアラーム時刻を設定するか否かについてヒントを出すために用いられる。例えば、当該アラーム設定ヒント情報は、図４のように示されてもよい。無論、実際のアプリケーションにおいて、当該アラーム設定ヒント情報は、他の形態であってもよく、本発明の実施例は、それについて特に限定しない。
【００５７】
また、当該確認操作は、アラーム時刻を設定することを確認するために用いられる。当該確認操作は、ユーザによってトリガされてもよい。当該確認操作は、シングルクリック操作、ダブルクリック操作、音声操作等であってもよい。本発明の実施例は、それについて特に限定しない。
【００５８】
端末がトリガ時刻に基づいてアラーム時刻を設定することは、ユーザが目標スマートシーンを設定した後でアラーム時刻も設定する必要がある状況に応じるためである。ただし、実際のアプリケーションにおいては、ユーザが目標スマートシーンを設定した後でアラーム時刻を設定する必要がない可能性もあるため、端末は、目標スマートシーンからトリガ時刻を取得した後、アラーム設定ヒント情報を表示することができる。こうして、ユーザがアラーム時刻を設定するか否かを簡単かつ直感的に選択でき、アラーム設定に対するユーザの異なる需要に応え、ユーザ体験が向上する。
【００５９】
端末がアラーム設定情報に対する確認操作を検出した場合、端末は、ユーザがアラーム時刻を設定する必要があると特定できる。その際、端末は、当該トリガ時刻に基づいてアラーム時刻を設定する必要があると特定できると共に、ユーザがアラーム時刻を設定する必要がない場合に端末がアラーム時刻を誤って設定することを回避でき、アラーム設定の正確性が向上する。
【００６０】
さらに、端末が当該目標スマートシーンからトリガ時刻を取得した後、トリガ時刻を指示する時刻オプションを表示し、当該時刻オプションに対する選択操作を検出し、選択操作の検出に応答して、選択操作によって決められたトリガ時刻に基づいてアラーム時刻を設定してもよい。
【００６１】
なお、当該トリガ時刻を指示する時刻オプションは、ユーザが、アラーム時刻を設定するためのトリガ時刻を選択できるようにするために用いられる。例えば、当該トリガ時刻を指示する時刻オプションは、図５のように示されてもよい。無論、実際のアプリケーションにおいて、当該トリガ時刻を指示する時刻オプションは、他の形態であってもよい。本発明の実施例は、それについて特に限定しない。
【００６２】
また、当該選択操作は、トリガ時刻のうち、アラーム時刻を設定するためのトリガ時刻を選択するために用いられる。当該選択操作は、ユーザによってトリガされてもよい。当該選択操作は、シングルクリック操作、ダブルクリック操作、音声操作等であってもよい。本発明の実施例は、それについて特に限定しない。
【００６３】
端末が当該目標スマートシーンからトリガ時刻を取得することは、当該トリガ時刻に基づいてアラーム時刻を設定する状況に応じるためである。実際のアプリケーションにおいては、当該目標スマートシーンが少なくとも１つのトリガ時刻を含む可能性もあるが、ユーザによって設定されたアラーム時刻が当該少なくとも１つのトリガ時刻のうちの幾つかのトリガ時刻のみに関連する可能性がある。そのため、当該端末は、目標スマートシーンからトリガ時刻を取得した後、トリガ時刻を指示する時刻オプションを表示することができる。こうして、ユーザが当該少なくとも１つのトリガ時刻のうち、アラーム時刻を設定するためのトリガ時刻を簡単かつ直感的に選択できるため、ユーザ体験が向上する。
【００６４】
端末が当該時刻オプションに対する選択操作を検出した場合、端末は、当該選択操作によって決められたトリガ時刻を、アラーム時刻を設定するためのトリガ時刻として特定し、さらに当該特定されたトリガ時刻に基づいてアラーム時刻を設定することができるため、端末が取得したあらゆるトリガ時刻に基づいてアラーム時刻を誤って設定することを回避でき、アラーム設定の正確性が向上する。
【００６５】
なお、端末が当該目標スマートシーンからトリガ時刻を取得した後、当該トリガ時刻の数を検出してもよい。当該トリガ時刻が１つのみである場合、端末は、トリガ時刻を指示する時刻オプションを表示せず、直接当該１つのトリガ時刻を、アラーム時刻を設定するためのトリガ時刻として特定してもよい。当該トリガ時刻が複数ある場合、端末は、トリガ時刻を指示する時刻オプションを表示して、ユーザに当該複数のトリガ時刻からアラーム時刻を設定するためのトリガ時刻を選択させるようにできる。無論、端末は、当該トリガ時刻の数を検出しなくてもよい。つまり、当該トリガ時刻が１つか複数かにかかわらず、トリガ時刻を指示する時刻オプションを表示して、ユーザに当該少なくとも１つのトリガ時刻からアラーム時刻を設定するためのトリガ時刻を選択させてもよい。本発明の実施例は、それについて特に限定しない。
【００６６】
さらに、端末は、トリガ時刻を取得した後、アラーム設定ヒント情報を表示し、アラーム設定情報に対する確認操作を検出し、当該検出した確認操作に応じてトリガ時刻を指示する時刻オプションを表示し、時刻オプションに対する選択操作を検出し、当該検出した選択操作に応じ、当該選択操作によって決められたトリガ時刻に基づいてアラーム時刻を設定してもよい。または、当該端末は、トリガ時刻を取得した後、トリガ時刻を指示する時刻オプションを表示し、時刻オプションに対する選択操作を検出し、当該検出した選択操作応じてアラーム設定情報を表示し、アラーム設定情報に対する確認操作を検出し、当該検出した確認操作に応じ、選択操作によって決められたトリガ時刻に基づいてアラーム時刻を設定してもよい。無論、当該端末がトリガ時刻を取得した後に、アラーム設定ヒント情報と、トリガ時刻を指示する時刻オプションとを関連表示しなくてもよい。つまり、アラーム設定ヒント情報とトリガ時刻を指示する時刻オプションとのうちの一種を独立に表示してもよい。本発明の実施例は、それについて特に限定しない。
【００６７】
ステップ２０３では、端末は、当該トリガ時刻に基づいてアラーム時刻を設定する。
【００６８】
従来技術にあっては、端末が当該目標スマートシーンを設定した後、アラームアプリケーションにおいてアラーム時刻を設定する前に、当該目標スマートシーンに用いられるスマートホームアプリケーションを退出する必要があるため、当該設定手順が煩雑である。当該設定手順を簡素化し、アラームの設定効率を向上させるために、ユーザは、当該スマートホームアプリケーションを退出することなく、アラーム時刻を設定することができる。以下の３つの方式にあっては、端末は、スマートホームアプリケーションを退出することなく、トリガ時刻に基づいてアラーム時刻を設定することができる。
【００６９】
第１の方式では、端末は、アラーム時刻の設定属性を取得し、当該設定属性および当該トリガ時刻に基づいて、所定のインターフェースにより、アラーム時刻を設定する。当該設定属性は、設定されるアラーム時刻と当該トリガ時刻との時系列関係を示す。
【００７０】
端末は、当該アラーム時刻の設定属性に基づいて、当該トリガ時刻の前後、あるいは同時に、当該アラーム時刻を設定するかを特定でき、さらに当該設定属性および当該トリガ時刻に基づいてアラーム時刻を設定するため、当該トリガ時刻のみに基づいてアラーム時刻を盲目的に設定することが回避され、アラーム時刻を設定するときの柔軟性および正確性が向上する。
【００７１】
なお、所定のインターフェースは、当該スマートホームアプリケーションとアラームアプリケーションとの間のインターフェースである。当該端末が当該所定のインターフェースを介して、当該スマートホームアプリケーションから、アラームアプリケーションにおけるアラーム時刻を設定可能であるため、当該スマートホームアプリケーションから退出することなく、アラーム時刻の設定を簡素化でき、アラームの設定効率が向上する。
【００７２】
当該アラーム時刻の設定属性が異なると、当該端末に設定されたアラーム時刻も異なる。そのため、当該端末が当該設定属性および当該トリガ時刻に基づいて、所定のインターフェースにより、アラーム時刻を設定する操作は、下記の通りであってもよい。つまり、当該設定属性が第１属性である場合、当該端末は、所定のインターフェースにより、当該トリガ時刻よりも前であって当該トリガ時刻との時間差が第１所定時間である時刻をアラーム時刻に設定し、当該設定属性が第２属性である場合、当該端末は、所定のインターフェースにより、当該トリガ時刻よりも後であって当該トリガ時刻との時間差が第２所定時間である時刻をアラーム時刻に設定し、当該設定属性が第３属性である場合、当該端末は、所定のインターフェースにより、当該トリガ時刻をアラーム時刻に設定する。
【００７３】
端末は、当該アラーム時刻の設定属性を特定した後、異なる設定属性に基づいて、異なるアラーム時刻を直接特定してもよい。こうして、ユーザがアラーム時刻を手動で設定する必要がなく、ユーザによる使用が便利になり、アラームの設定効率が向上する。
【００７４】
例えば、当該設定属性が第１属性であり、且つ当該トリガ時刻が７:３０である場合、第１所定時間は、２０分になる。よって、当該端末は、所定のインターフェースにより、アラーム時刻を７:１０に設定する。当該設定属性が第２属性であり、第２所定時間が５分である場合、当該端末は、所定のインターフェースにより、アラーム時刻を７:３５に設定する。当該設定属性が第３属性である場合、当該端末は、所定のインターフェースにより、アラーム時刻を７:３０に設定する。
【００７５】
なお、第１属性は、当該トリガ時刻の前に当該アラーム時刻をトリガするよう指示し、第２属性は、当該トリガ時刻の後で当該アラーム時刻をトリガするよう指示し、第３属性は、当該トリガ時刻と同時に当該アラーム時刻をトリガするよう指示する。
【００７６】
例えば、当該アラーム時刻は、ユーザ起床時刻である。目標スマートシーンが「８:００にエアコンをオフ」である場合、エアコンが８:００にオフされる。ユーザは、エアコンのオフ時にタイムリーに出かけて出勤できるように、エアコンのオフ前に起きてもよい。つまり、当該アラーム時刻は、当該トリガ時刻の前にトリガされてもよい。そのため、当該アラーム時刻の設定属性は、第１属性とすることができる。目標スマートシーンが「７:３０にスマートコンセントをオン」である場合、スマートコンセントに接続された電気製品が７:３０に起動し、ユーザのために朝食を用意する。朝食を用意するには時間がかかるため、ユーザは、電気製品の起動後に起きてもよい。つまり、当該アラーム時刻は、当該トリガ時刻の後でトリガされてもよい。そのため、当該アラーム時刻の設定属性は、第２属性とすることができる。目標スマートシーンが「７:４０にインテリジェントランプをオン」である場合、インテリジェントランプが７:４０にオンされる。ユーザは、同時に起きてもよい。つまり、当該アラーム時刻は、当該トリガ時刻と同時にトリガされてもよい。したがって、当該アラーム時刻の設定属性は、第３属性とすることができる。
【００７７】
また、第１所定時間は、予め設定されてもよい。例えば、第１所定時間は、５分、１０分、２０分等であってもよい。本発明の実施例は、それについて特に限定しない。さらに、第２所定時間は、予め設定されてもよい。例えば、第２所定時間は、５分、１０分、２０分等であってもよい。本発明の実施例は、それについて特に限定しない。
【００７８】
第２の方式では、端末は、当該トリガ時刻に基づいて、当該スマートホームアプリケーションにおいてアラーム設定インターフェースを表示し、所定のインターフェースにより、当該アラーム設定インターフェースで検出された時刻をアラーム時刻に設定する。
【００７９】
端末が当該トリガ時刻を取得した後、当該端末は、アラームアプリケーションのアラーム設定インターフェースを呼び出して、当該スマートホームアプリケーションにおいて当該アラーム設定インターフェースを表示し、その後、所定のインターフェースにより、当該アラーム設定インターフェースで検出された時刻をアラーム時刻に設定することができる。こうして、ユーザは、当該アラーム設定インターフェースにおいてアラーム時刻を直接設定でき、当該スマートホームアプリケーションから退出することなく、ユーザの需要に応じてアラーム時刻の設定を正確に行うことができるため、アラーム時刻の設定操作が簡素化され、アラーム設定の正確性が向上する。
【００８０】
なお、アラーム設定インターフェースは、アラーム時刻を設定する。例えば、当該アラーム設定インターフェースは、図６のように示されてもよい。無論、実際のアプリケーションにおいて、当該アラーム設定インターフェースは、他の形態であってもよい。本発明の実施例は、それについて特に限定しない。
【００８１】
さらに、当該端末がアラーム設定インターフェースにおいて検出した時刻はユーザによって手動で設定される。そのため、設定されたアラーム時刻と当該トリガ時刻とが近い場合、ユーザがアラーム時刻を即時に設定するできるように、当該端末は、当該トリガ時刻に基づいて当該スマートホームアプリケーションにアラーム設定インターフェースを表示する際、当該アラーム設定インターフェースに、当該トリガ時刻を、アラーム時刻を設定する参考として表示してもよい。
【００８２】
第３の方式では、端末は、複数の履歴時刻を取得し、当該複数の履歴時刻に基づいてアラーム時刻を特定する。当該履歴時刻は、アラーム履歴時刻、または、スマートウェアラブル機器で検出された起床履歴時刻を含む。
【００８３】
端末が複数の履歴時刻を取得した後に、端末が当該複数の履歴時刻に基づいてアラーム時刻を直接特定することができるため、アラーム設定の正確性が向上するとともに、ユーザによる使用が便利になり、アラームの設定効率が向上する。
【００８４】
端末が当該複数の履歴時刻に基づいてアラーム時刻を特定する場合、当該複数の履歴時刻に最も近いトリガ時刻をアラーム時刻として特定し、または、当該複数の履歴時刻のうち、トリガ時刻に最も近い履歴時刻をアラーム時刻として特定し、または、当該複数の履歴時刻に最も近いトリガ時刻を目標トリガ時刻として特定し、さらに当該目標トリガ時刻に基づいてアラーム時刻を設定してもよい。
【００８５】
端末が当該複数の履歴時刻に最も近いトリガ時刻をアラーム時刻として特定する場合、端末は、当該複数の履歴時刻の平均値に最も近いトリガ時刻をアラーム時刻として特定し、または、当該複数の履歴時刻のうちの任意時刻に最も近いトリガ時刻をアラーム時刻として特定してもよい。
【００８６】
例えば、当該複数の履歴時刻が７:００、７:１０、７:３０、８:００であり、トリガ時刻が７:０３、１２:００、１８:００であるとする。端末が当該複数の履歴時刻の平均値に最も近いトリガ時刻をアラーム時刻として特定する場合、当該複数の履歴時刻の平均値が７:２５であるため、端末は、トリガ時刻のうち、７:２５に最も近い７:０３をアラーム時刻として特定できる。端末が当該複数の履歴時刻のうちの任意時刻に最も近いトリガ時刻をアラーム時刻として特定する場合、端末は、トリガ時刻のうち履歴時刻中の７:００に最も近い７:０３をアラーム時刻として特定できる。端末が当該複数の履歴時刻のうちトリガ時刻に最も近い履歴時刻をアラーム時刻として特定する場合、端末は、当該履歴時刻のうちトリガ時刻７:０３に最も近い７:００をアラーム時刻として特定できる。
【００８７】
また、端末が当該複数の履歴時刻に最も近いトリガ時刻を目標トリガ時刻として特定する場合、端末は、当該複数の履歴時刻の平均値に最も近いトリガ時刻を目標トリガ時刻として特定、または、当該複数の履歴時刻のうちの任意時刻に最も近いトリガ時刻を目標トリガ時刻として特定できる。
【００８８】
例えば、当該複数の履歴時刻が７:００、７:１０、７:３０、８:００であり、トリガ時刻が７:０３、１２:００、１８:００であるとする。端末が当該複数の履歴時刻の平均値に最も近いトリガ時刻を目標トリガ時刻として特定する場合、当該複数の履歴時刻の平均値が７:２５であるため、端末は、トリガ時刻のうち７:２５に最も近い７:０３を目標トリガ時刻として特定してもよい。端末が当該複数の履歴時刻のうちの任意時刻に最も近いトリガ時刻を目標トリガ時刻として特定する場合、端末は、トリガ時刻のうち履歴時刻中の７:００に最も近い７:０３を目標トリガ時刻として特定してもよい。
【００８９】
なお、端末が当該目標トリガ時刻に基づいてアラーム時刻を設定する手順はステップ２０３における第１の方式の設定手順と同じであるため、本発明の実施例は、ここで繰り返し説明しない。
【００９０】
また、当該端末がスマートウェアラブル機器を介して起床時間を検出する手順は関連技術を参照すればよいため、本発明の実施例は、それについて詳細に説明しない。
【００９１】
本発明の実施例では、端末がホーム機器の目標スマートシーン（当該目標スマートシーンは、トリガ時刻にしたときに目標操作を実行するよう指示する）を取得した後、端末は当該目標スマートシーンからトリガ時刻を取得し、当該トリガ時刻に基づいてアラーム時刻を設定する。これにより、端末に対応するユーザは、当該目標スマートシーンを設定した後で、当該目標スマートシーンに用いられるスマートホームアプリケーションを退出することなく、アラーム時刻を設定可能であるため、アラーム設定手順が簡素化され、ユーザによる使用が便利になり、アラームの設定効率が向上する。
【００９２】
図７は、ある実施例におけるアラーム設定装置を示すブロック図である。図７を参照すると、当該装置は、第１取得モジュール７０１、第２取得モジュール７０２および設定モジュール７０３を備える。
【００９３】
第１取得モジュール７０１は、ホーム機器の目標スマートシーンを取得し、目標スマートシーンは、トリガ時刻に達したときに目標操作を実行するよう指示する。
【００９４】
第２取得モジュール７０２は、第１取得モジュール７０１によって取得された目標スマートシーンから、トリガ時刻を取得する。
【００９５】
設定モジュール７０３は、第２取得モジュール７０２によって取得されたトリガ時刻に基づいて、アラーム時刻を設定する。
【００９６】
本発明の別の実施例では、図８を参照すると、当該設定モジュール７０３は、第１取得手段７０３１および第１設定手段７０３２を備える。
【００９７】
第１取得手段７０３１は、アラーム時刻の設定属性を取得し、設定属性は、設定されるアラーム時刻とトリガ時刻との時系列関係を示す。
【００９８】
第１設定手段７０３２は、第１取得手段７０３１によって取得された設定属性とトリガ時刻とに基づいて、所定のインターフェースにより、アラーム時刻を設定する。
【００９９】
本発明の別の実施例では、図９を参照すると、当該第１設定手段７０３２は、第１設定サブ手段７０３２１、第２設定サブ手段７０３２２および第３設定サブ手段７０３２３を備える。
【０１００】
第１設定サブ手段７０３２１は、設定属性が第１属性である場合、所定のインターフェースにより、トリガ時刻よりも前であって、トリガ時刻との時間差が第１所定時間である時刻をアラーム時刻に設定する。
【０１０１】
第２設定サブ手段７０３２２は、設定属性が第２属性である場合、所定のインターフェースにより、トリガ時刻よりも後であって、トリガ時刻との時間差が第２所定時間である時刻をアラーム時刻に設定する。
【０１０２】
第３設定サブ手段７０３２３は、設定属性が第３属性である場合、所定のインターフェースにより、トリガ時刻をアラーム時刻に設定する。
【０１０３】
本発明の別の実施例では、図１０に示す如く、当該設定モジュール７０３は、表示手段７０３３および第２設定手段７０３４を備える。
【０１０４】
表示手段７０３３は、トリガ時刻に基づいて、スマートホームアプリケーションにおいてアラーム設定インターフェースを表示する。
【０１０５】
第２設定手段７０３４は、所定のインターフェースにより、表示手段７０３３で表示されたアラーム設定インターフェースにおいて検出した時刻をアラーム時刻に設定する。
【０１０６】
本発明の別の実施例では、図１１に示す如く、当該設定モジュール７０３は、第２取得手段７０３５および特定手段７０３６を備える。
【０１０７】
第２取得手段７０３５は、複数の履歴時刻を取得する。履歴時刻は、アラーム履歴時刻、または、スマートウェアラブル機器で検出された起床履歴時刻を含む。
【０１０８】
特定手段７０３６は、第２取得手段７０３５によって取得された複数の履歴時刻に基づいてアラーム時刻を特定する。
【０１０９】
本発明の別の実施例では、当該特定手段７０３６は、特定サブ手段を備える。
【０１１０】
特定サブ手段は、複数の履歴時刻に最も近いトリガ時刻をアラーム時刻として特定する。
【０１１１】
本発明の別の実施例では、図１２（ａ）に示す如く、当該装置は、第１表示モジュール７０４をさらに備える。
【０１１２】
第１表示モジュール７０４は、トリガ時刻を指示する時刻オプションを表示する。
【０１１３】
図１２（ｂ）に示す如く、当該設定モジュール７０３は、第１検出手段７０３７および第３設定手段７０３８を備える。
【０１１４】
第１検出手段７０３７は、時刻オプションに対する選択操作を検出する。
【０１１５】
第３設定手段７０３８は、選択操作が検出手段７０３７によって検出されたことに応答して、選択操作によって決められたトリガ時刻に基づいてアラーム時刻を設定する。
【０１１６】
本発明の別の実施例では、図１３（ａ）に示す如く、当該装置は、第２表示モジュール７０５をさらに備える。
【０１１７】
第２表示モジュール７０５は、アラーム設定ヒント情報を表示する。
【０１１８】
図１３（ｂ）に示す如く、当該設定モジュール７０３は、第２検出手段７０３９および第４設定手段７０４０を備える。
【０１１９】
第２検出手段７０３９は、アラーム設定ヒント情報に対する確認操作を検出する。
【０１２０】
第４設定手段７０４０は、第２検出手段７０３９によって検出された確認操作に応答して、トリガ時刻に基づいてアラーム時刻を設定する。
【０１２１】
本発明の実施例では、端末がホーム機器の目標スマートシーン（当該目標スマートシーンは、トリガ時刻に達したときに目標操作を実行するよう指示する）を取得した後、端末が当該目標スマートシーンからトリガ時刻を取得し、当該トリガ時刻に基づいてアラーム時刻を設定することにより、端末に対応するユーザは、当該目標スマートシーンを設定した後で、当該目標スマートシーンに用いられるスマートホームアプリケーションを退出することなく、アラーム時刻を設定可能であるため、アラーム設定手順が簡素化され、ユーザによる使用が便利になり、アラームの設定効率が向上する。
【０１２２】
上記実施例の装置において各モジュールが操作を実行する具体的な方式は当該方法に関する実施例に詳細に記述されているため、ここでは詳細に説明しない。
【０１２３】
図１４は、ある実施例によるアラーム設定のための装置１４００を示すブロック図である。装置１４００は、例えば、携帯電話、コンピュータ、デジタル放送端末、メッセージ送受信機器、ゲームコンソール、タブレットデバイス、医療設備、フィットネス機器、ＰＤＡなどであってもよい。
【０１２４】
図１４に示す如く、装置１４００は、処理ユニット１４０２、メモリ１４０４、電源ユニット１４０６、マルチメディアユニット１４０８、オーディオユニット１４１０、入力／出力（Ｉ／Ｏ）インターフェース１４１２、センサユニット１４１４、および、通信ユニット１４１６のうちの１つまたは複数を含んでもよい。
【０１２５】
処理ユニット１４０２は、通常は、表示、通話、データ通信、カメラ操作および記録操作に関連する操作のような、装置１４００の全般操作を制御する。処理ユニット１４０２は、上記方法の全部または一部のステップを実施させるように、指令を実行するための１つまたは複数のプロセッサ１４２０を含んでもよい。また、処理ユニット１４０２は、処理ユニット１４０２と他のユニットとの間の相互作用を容易にするように、１つまたは複数のモジュールを含んでもよい。例えば、処理ユニット１４０２は、マルチメディアユニット１４０８と処理ユニット１４０２との間の相互作用を容易にするように、マルチメディアモジュールを含んでもよい。
【０１２６】
メモリ１４０４は、各タイプのデータを記憶して装置１４００での操作をサポートするように構成される。これらのデータの例示は、装置１４００で操作するための任意のアプリケーションもしくは方法の指令、連絡先データ、電話帳データ、メッセージ、ピクチャ、ビデオなどを含む。メモリ１４０４は、如何なる種別の揮発性もしくは不揮発性記憶装置またはそれらの組合せで実現されてもよい。例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【０１２７】
電源ユニット１４０６は、装置１４００のユニットのそれぞれに電力を供給する。電源ユニット１４０６は、電源管理システム、１つまたは複数の電源、並びに、他のオーディオ出力機器１４００用の電力を生成、管理および配分するための他のユニットを含んでもよい。
【０１２８】
マルチメディアユニット１４０８は、前記装置１４００とユーザとの間に1つの出力インターフェースを提供するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチクリーンとして実現されてもよい。タッチパネルは、タッチ、スライドおよびタッチパネルでのジェスチャを感知するように、１つまたは複数のタッチセンサを含む。前記タッチセンサは、タッチあるいはスライド動作の境界を感知するだけではなく、タッチあるいはスライド操作と関連する継続時間および圧力をさらに検出することができる。一部の実施例では、マルチメディアユニット１４０８は、１つのフロントカメラおよび/またはバックカメラを含む。装置１４００が操作モード、例えば、撮影モードあるいはビデオモードであるとき、フロントカメラおよび/またはバックカメラは、外部のマルチメディアデータを受信することができる。フロントカメラおよびバックカメラのそれぞれは、１つの固定光学レンズシステムであってもよいし、焦点距離および光学ズーム能力を有するものであってもよい。
【０１２９】
オーディオユニット１４１０は、オーディオ信号を出力および/または入力するように構成される。例えば、オーディオユニット１４１０は、マイク（ＭＩＣ）を備え、オーディオ出力機器１４００が操作モード、例えば、音響出力モード、記録モードおよび音声識別モードであるとき、マイクは、外部オーディオ信号を受信するように構成される。受信されたオーディオ信号は、さらに、メモリ１４０４に格納される、または、通信ユニット１４１６を介して送信されることができる。一部の実施例では、オーディオユニット１４１０は、オーディオ信号を出力するためのスピーカをさらに備える。
【０１３０】
Ｉ/Ｏインターフェース１４１２は、処理ユニット１４０２と周辺インターフェースモジュールとの間でインターフェースを供給するものであり、上記周辺インターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【０１３１】
センサユニット１４１４は、様々な側面での状態推定を装置１４００に供給するための１つまたは複数のセンサを含む。例えば、センサユニット１４１４は、装置１４００のオン/オフ状態、ユニットの相対位置を検出することができ、前記ユニットは、例えば、装置１４００のディスプレイおよびキーパッドである。センサユニット１４１４は、さらに、装置１４００もしくは装置１４００の１つのユニットの位置変更、ユーザと装置１４００との接触の有無、装置１４００の方位もしくは加速/減速および装置１４００の温度変化をさらに検出することができる。センサユニット１４１４は、如何なる物理的接触もないとき、近辺にある物体の存在を検出するための近接センサを含んでもよい。センサユニット１４１４は、さらに、イメージングアプリケーションに使用される光センサ、例えばＣＭＯＳまたはＣＣＤ画像センサを含んでもよい。一部の実施例では、当該センサユニット１４１４は、さらに、加速度センサ、ジャイロセンサ、磁気センサ、圧力センサ、または温度センサを含んでもよい。
【０１３２】
通信ユニット１４１６は、装置１４００と他の機器間の無線または有線方式の通信ができるように構成される。装置１４００は、通信規格に基づく無線ネットワーク、例えば、ＷｉＦｉ、２Ｇもしくは３Ｇなどの通信規格、またはそれらの組合せに基づく無線ネットワークにアクセスすることができる。ある実施例では、通信ユニット１４１６は、外部ブロードキャスト管理システムからのブロードキャスト信号またはブロードキャスト関連情報をブロードキャストチャネルを介して受信する。ある実施例では、通信ユニット１４１６は、さらに、短距離通信を容易にするように、ニアフィールド通信（ＮＦＣ）モジュールを含む。ＮＦＣモジュールは、例えば、無線周波数識別（ＲＦＩＤ）技術、赤外線データ協会（ＩｒＤＡ）技術、超広帯域（ＵＷＢ）技術、ブルートゥース（登録商標）（ＢＴ）技術および他の技術によって実現されてもよい。
【０１３３】
実施例では、装置１４００は、上記方法を実行するための１つまたは複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１３４】
実施例では、指令を含む非一時的コンピュータ読み取り可能な記憶媒体、例えば、指令を含むメモリ１４０４をさらに提供し、上記指令が装置１４００のプロセッサ１４２０によって実行されることで上記方法を実施させることができる。前記非一時的コンピュータ読み取り可能な記憶媒体は、例えば、ＲＯＭ、ランダムアクセスメモリ（ＲＡＭ）、ＣＤ-ＲＯＭ、磁気テープ、フロッピーディスクおよび光データ記憶機器などであってもよい。
【０１３５】
非一時的コンピュータ読み取り可能な記憶媒体を提供する。前記記憶媒体における指令が移動端末のプロセッサによって実行されるとき、移動端末がアラーム設定方法を実行可能である。前記方法は、
ホーム機器の目標スマートシーンを取得するステップと、
当該目標スマートシーンからトリガ時刻を取得するステップと、
当該トリガ時刻に基づいてアラーム時刻を設定するステップとを含み、
当該目標スマートシーンは、トリガ時刻に達したときに目標操作を実行するよう指示する。
【０１３６】
本発明の別の実施例では、トリガ時刻に基づいてアラーム時刻を設定するステップは、
アラーム時刻の設定属性を取得し、
設定属性およびトリガ時刻に基づいて、所定のインターフェースにより、アラーム時刻を設定し、
設定属性は、設定されるアラーム時刻とトリガ時刻との時系列関係を示す。
【０１３７】
本発明の別の実施例では、設定属性およびトリガ時刻に基づいて、所定のインターフェースにより、アラーム時刻を設定することは、
設定属性が第１属性である場合、所定のインターフェースにより、トリガ時刻よりも前であって、トリガ時刻との時間差が第１所定時間である時刻をアラーム時刻に設定し、
設定属性が第２属性である場合、所定のインターフェースにより、トリガ時刻よりも後であって、トリガ時刻との時間差が第２所定時間である時刻をアラーム時刻に設定し、
設定属性が第３属性である場合、所定のインターフェースにより、トリガ時刻をアラーム時刻に設定する。
【０１３８】
本発明の別の実施例では、トリガ時刻に基づいてアラーム時刻を設定するステップは、
トリガ時刻に基づいて、スマートホームアプリケーションにおいてアラーム設定インターフェースを表示し、
所定のインターフェースにより、アラーム設定インターフェースで検出された時刻をアラーム時刻に設定する。
【０１３９】
本発明の別の実施例では、トリガ時刻に基づいてアラーム時刻を設定するステップは、
複数の履歴時刻を取得し、
複数の履歴時刻に基づいてアラーム時刻を特定し、
履歴時刻は、アラーム履歴時刻、または、スマートウェアラブル機器で検出された起床履歴時刻を含む。
【０１４０】
本発明の別の実施例では、複数の履歴時刻に基づいてアラーム時刻を特定することは、
複数の履歴時刻に最も近いトリガ時刻をアラーム時刻として特定する。
【０１４１】
本発明の別の実施例では、目標スマートシーンからトリガ時刻を取得した後、当該方法は、さらに、
トリガ時刻を指示する時刻オプションを表示するステップを含み、
トリガ時刻に基づいてアラーム時刻を設定するステップは、
時刻オプションに対する選択操作を検出し、
選択操作が検出されたことに応答して、選択操作によって決められたトリガ時刻に基づいてアラーム時刻を設定する。
【０１４２】
本発明の別の実施例では、目標スマートシーンからトリガ時刻を取得した後、当該方法は、さらに、
アラーム設定ヒント情報を表示するステップを含み、
トリガ時刻に基づいてアラーム時刻を設定するステップは、
アラーム設定ヒント情報に対する確認操作を検出し、
確認操作が検出されたことに応答して、トリガ時刻に基づいてアラーム時刻を設定する。
【０１４３】
本発明の実施例では、端末がホーム機器の目標スマートシーン（当該目標スマートシーンは、トリガ時刻に達したときに目標操作を実行するよう指示する）を取得した後、端末が当該目標スマートシーンからトリガ時刻を取得し、当該トリガ時刻に基づいてアラーム時刻を設定することにより、端末に対応するユーザは、当該目標スマートシーンを設定した後で、当該目標スマートシーンに用いられるスマートホームアプリケーションを退出することなく、アラーム時刻を設定可能であるため、アラーム設定手順が簡素化され、ユーザによる使用が便利になり、アラームの設定効率が向上する。
【０１４４】
当業者は、明細書を考慮し、ここに公開された発明を実践した後、本発明の他の実施案を容易に想到する。本願は、本発明の如何なる変形、用途または適合もカバーすることを意図する。これらの変形、用途または適合は、本発明の一般的な仕組みに従い、かつ、本発明に公開されていない当分野における公知常識または慣用技術手段を含む。明細書および実施例は単なる例示と見なされ、本発明の本当の範囲および思想は添付する特許請求の範囲によって与えられる。
【０１４５】
本発明は上記に記載され、且つ図面に示された構造に限定されるものでなく、その要旨を逸脱しない範囲で様々な補正や変更も可能であることは言うまでもない。本発明の範囲は、添付する特許請求の範囲のみによって限定される。
【図１】
0006355748.tif 000002
【図２】
0006355748.tif 000003
【図３（ａ）】
0006355748.tif 000004
【図３（ｂ）】
0006355748.tif 000005
【図３（ｃ）】
0006355748.tif 000006
【図３（ｄ）】
0006355748.tif 000007
【図３（ｅ）】
0006355748.tif 000008
【図３（ｆ）】
0006355748.tif 000009
【図３（ｇ）】
0006355748.tif 000010
【図４】
0006355748.tif 000011
【図５】
0006355748.tif 000012
【図６】
0006355748.tif 000013
【図７】
0006355748.tif 000014
【図８】
0006355748.tif 000015
【図９】
0006355748.tif 000016
【図１０】
0006355748.tif 000017
【図１１】
0006355748.tif 000018
【図１２】
0006355748.tif 000019
【図１３】
0006355748.tif 000020
【図１４】
0006355748.tif 000021